Podtech/llm-jp-corpus-v4-ja_patent huggingface dataset:
【手続補正書】
【提出日】平成17年6月3日(2005.6.3)
【手続補正１】
【補正対象書類名】明細書
【補正対象項目名】特許請求の範囲
【補正方法】変更
【補正の内容】
【特許請求の範囲】
【請求項１】
身体の内腔から血栓崩壊物を除去する装置において、
回転運動出力を行うための片手操作可能な手段と；
上記回転運動出力手段に回転可能に連結された細長いワイヤと；
一定の長さの上記ワイヤを包囲するカテーテルと；
上記ワイヤが回転されて上記カテーテルから延びている部分に定位波を生じると、上記ワイヤとは別個に上記片手で上記カテーテルを手動回転し易くする把持手段と；
を備える、血栓崩壊物を除去する装置。
【請求項２】
上記回転運動出力手段は、モーターと、上記モーターのための制御手段とを備える、請求項１に記載の装置。
【請求項３】
上記回転運動出力手段から遠い方の上記カテーテルの末端は上記カテーテルの残部に対して角度をなして配置されている、請求項１に記載の装置。
【請求項４】
上記カテーテルから遠い方の上記ワイヤの末端はＪ形である、請求項１に記載の装置。
【請求項５】
上記カテーテルから遠い方の上記ワイヤの末端は上記ワイヤの残部に対して角度をなして配置されている、請求項１に記載の方法。
【請求項６】
内腔から血栓崩壊物を除去する方法において、
回転可能な親水性ワイヤの少なくとも一部を孔を通して上記内腔の内部へ挿入する工程、
上記ワイヤが上記内腔内の上記ワイヤ部分に少なくとも振動節を形成する速度で上記ワイヤを上記内腔内で回転させる工程、
を包含する、方法。
【請求項７】
上記ワイヤが上記内腔内の上記ワイヤ部分に少なくとも１つの振動節を形成する速度で上記ワイヤを上記内腔内で回転させるモータを用意する工程、
上記モータを移動することによって上記ワイヤを上記内腔に沿って移動させる工程、
上記ワイヤ部分を包囲する上記カテーテルを回転させることによって上記内腔内の上記ワイヤの配向を制御する工程、
を更に含む、請求項６に記載の方法。
【請求項８】
上記モータは手持ちモータであり；
上記内腔に沿った上記ワイヤを移動する工程は、上記モータを手動で移動させることによって行われ；
上記内腔内の上記ワイヤの配向を制御する工程は、上記カテーテルを手動で回転させることによって行われる、
請求項６に記載の方法。
【請求項９】
上記モーターを手動で移動する工程および上記カテーテルを片手で回転させる工程をさらに包含する、請求項８に記載の方法。
【請求項１０】
血栓崩壊物を内腔から除去する方法において、
上記内腔において装置を形成する工程；
上記装置を通って上記内腔の内部に回転かヌクレオチドな親水性ワイヤを挿入する工程；および
上記内腔内のワイヤ部分に定常はを作り出すために十分な速度で上記内腔内でワイヤを回転させる工程、
を包含する、方法。
【手続補正書】
【提出日】平成18年10月23日(2006.10.23)
【手続補正１】
【補正対象書類名】明細書
【補正対象項目名】特許請求の範囲
【補正方法】変更
【補正の内容】
【特許請求の範囲】
【請求項１】    ポリヌクレオチド配列のための並列方法であって、それが次の（ａ）から（ｇ）の処理工程から成る場合：
（ａ）  二個あるいはそれ以上の標本タグ付きポリヌクレオチド・クローンの収集物から成るライブラリーを準備し；
（ｂ）  第一の配列決定用プライマー結合部位を使って、あるいは何も配列決定用プライマー結合部位を使わずとも、収集物内の標本タグ付きクローンからタグ付き反応産物を多数生成する処理を通して、ライブラリーに関する核酸配列決定を行い；
（ｃ）  反応産物をサイズにより分離し；
（ｄ）  分離された反応産物のフラクションを収集し；
（ｅ）  行程（ｄ）で収集した産物を増幅して、タグ付きアンプリコンを生成し；
（ｆ）  タグ付きアンプリコンをタグ補完から成るアレイにハイブリダイズして；
（ｇ）  ハイブリダイゼーションを検出して、収集物内の標本タグ付きクローンに対する多数の配列梯子を逆再生することにより、多数の標本タグ付きクローンのポリヌクレオチドを決定する。
【請求項２】    請求項１記載の方法で、ライブラリーがさらにタグ付きクローンの第二収集物から成り、第二の配列決定用プライマー結合部位を使って、第二収集物内の各クローンから、タグ付き配列決定反応産物の第二多数を生成する場合。
【請求項３】    請求項１記載の方法で、標本タグ付きクローンがアダプター・タグを含む場合。
【請求項４】    請求項１記載の方法で、収集物が１００個より多くの標本タグ付きポリヌクレオチド・クローンを含む場合。
【請求項５】    ポリヌクレオチド配列決定の並列方法であって、それが次の（ａ）から（ｇ）の処理工程から成る場合：
（ａ）  標本タグ付きポリヌクレオチド・クローンから成るライブラリーを準備し；
（ｂ）  ライブラリーに関する核酸配列決定反応を行い、多数のタグ付き反応産物を生成し；
（ｃ）  反応産物をサイズ別に分離し；
（ｄ）  分離された反応産物のフラクションを収集し；
（ｅ）  処理工程（ｄ）で収集した産物を、タグ補完から成るアレイに対してハイブリダイズし；
（ｆ）  ハイブリダイズした反応産物をイン・シチュで増幅して；
（ｇ）  増幅した反応産物を検出して、標本タグ付きクローンに対する多数の配列梯子を逆再生することにより、標本タグ付きクローンのポリヌクレオチド配列を一度に多数決定する。
【請求項６】    位置決めされるべき挿入要素を保持する細胞を製造するための並列方法であって、それが、次の（ａ）から（ｄ）の処理工程から成る場合：（ａ）  多数の位置に組み込まれた挿入要素を保持する生成し；
（ｂ）  挿入要素から標本タグ付き接合部のライブラリーを準備し；
（ｃ）  ライブラリーに関する地図作製反応を行い、タグ付き反応産物を生成し；
（ｄ）  反応産物をタグ補完のアレイに連想させて接合部の地図を逆再生することにより、挿入要素の位置を識別する。
【請求項７】    請求項６記載の方法で、標本タグ付き接合部がアダプター・タグを含む場合。
【請求項８】    請求項６記載の方法で、各収集物が挿入要素の位置の部分集合から成るように、細胞を別々の収集物として維持し、各収集物内の部分集合を識別する、という処理工程をさらに含む場合。
【請求項９】    請求項８記載の方法で、細胞が標本タグ付き接合部からなり、そして部分集合を識別する処理工程が、収集物をプールして多数のサブプールを生成し、各サブプールからポリヌクレオチドを増幅してタグ付きアンプリコンを生成し、アンプリコンをタグ補完のアレイにハイブリダイズする、という処理工程を含む場合。
【請求項１０】    請求項８記載の方法で、位置情報が接合部からの配列を含み、そして部分集合を識別する処理工程が、収集物をプールして多数のサブプールを生成し、各サブプールからポリヌクレオチドを増幅して接合部を含むアンプリコンを生成し、接合部配列に補完なポリヌクレオチドから成るアレイにアンプリコンをハイブリダイズする、という処理工程を含む場合。
【請求項１１】    請求項６記載の方法で、タグ付き反応産物を増幅してタグ付きアンプリコンを生成する処理をさらに含み、そして連想処理工程（ｄ）にアンプリコンをタグ補完にハイブリダイズする処理を含む場合。
【請求項１２】    請求項６記載の方法で、地図作製反応が配列決定方法を含む場合。
【手続補正書】
【提出日】平成17年7月19日(2005.7.19)
【手続補正１】
【補正対象書類名】明細書
【補正対象項目名】特許請求の範囲
【補正方法】変更
【補正の内容】
【特許請求の範囲】
【請求項１】  第2 HIV-1 O群envポリペプチドと融合した第1 HIV-1 O群envポリペプチドを含んでなる抗原構築物。
【請求項２】  該第1ポリペプチドがgp120ポリペプチドであり、該第2ポリペプチドがgp41ポリペプチドである、請求項1に記載の抗原構築物。
【請求項３】  該第1および第2 HIV-1 O群envポリペプチドの少なくとも1つがHIV-1 O群分離株HAM112に由来する、請求項1および2のいずれか1項に記載の抗原構築物。
【請求項４】  該第1ポリペプチドがHIV-1 O群分離株HAM112のgp120タンパク質の免疫反応性部分を含む、請求項1に記載の抗原構築物。
【請求項５】  該第1ポリペプチドが、図1の配列（配列番号61）の残基476〜520より実質的になるアミノ酸配列を有する、請求項4に記載の抗原構築物。
【請求項６】  該第2ポリペプチドがHIV-1 O群分離株HAM112のgp41タンパク質の免疫反応性部分を含む、請求項1、4および5のいずれか1項に記載の抗原構築物。
【請求項７】  該第2ポリペプチドが、図1の配列（配列番号61）の残基521〜873またはその一部より実質的になるアミノ酸配列を有する、請求項6に記載の抗原構築物。
【請求項８】  該第2ポリペプチドが、図5（配列番号58）の残基47〜215より実質的になるアミノ酸配列を有する、請求項6に記載の抗原構築物。
【請求項９】  pGO-8PL、pGO-8CKS、pGO-9PL、pGO-9CKS、pGO-11PLおよびpGO-11CKSならびにそれらの誘導体、変異体および類似体よりなる群から選ばれる、請求項1に記載の抗原構築物。
【請求項１０】  少なくとも1つのHIV-1 O群envポリペプチドと少なくとも1つのHIV-1 M群envポリペプチドとの融合体を含んでなる抗原構築物。
【請求項１１】  （a）第1 HIV-1 O群envポリペプチド、
（b）第2 HIV-1 O群envポリペプチド、
（c）第1 HIV-1 M群envポリペプチド、および
（d）第2 HIV-1 M群envポリペプチド
の融合体を含む、請求項10に記載の抗原構築物。
【請求項１２】  該HIV-1 O群配列の少なくとも1つがHIV-1 O群分離株HAM112に由来する、請求項11に記載の抗原構築物。
【請求項１３】  該第1 O群envポリペプチドおよび該第1 M群envポリペプチドが共にgp120ポリペプチドであり、該第2 O群envポリペプチドおよび該第2 M群envポリペプチドが共にgp41ポリペプチドである、請求項11に記載の抗原構築物。
【請求項１４】  （a）該第1 HIV-1 O群envポリペプチドが、HIV-1 O群分離株HAM112のgp120タンパク質の免疫反応性部分を含み、
（b）該第2 HIV-1 O群envポリペプチドが、HIV-1 O群分離株HAM112のgp41タンパク質の免疫反応性部分を含み、
（c）該第1 HIV-1 M群envポリペプチドが、B亜型の第1 HIV-1 M群分離株のgp120タンパク質の免疫反応性部分を含み、
（d）該第2 HIV-1 M群envポリペプチドが、B亜型の第2 HIV-1 M群分離株のgp41タンパク質の免疫反応性部分を含む、請求項11に記載の抗原構築物。
【請求項１５】  （a）該第1 HIV-1 M群envポリペプチドが、図12の配列（配列番号108）の残基251〜292より実質的になるアミノ酸配列を有し、
（b）該第2 HIV-1 M群envポリペプチドが、図12の配列（配列番号108）の残基293〜599またはその一部より実質的になるアミノ酸配列を有する、請求項14に記載の抗原構築物。
【請求項１６】  該第2 HIV-1 M群envポリペプチドが、図12の配列（配列番号108）の残基293〜492より実質的になるアミノ酸配列を有する、請求項15に記載の抗原構築物。
【請求項１７】  該第1 HIV-1 O群envポリペプチドが、図1の配列（配列番号61）の残基1〜520またはその一部より実質的になるアミノ酸配列を有する、請求項11、13、14、15および16のいずれか1項に記載の抗原構築物。
【請求項１８】  pGO-12CKS、pGO-13CKSおよびpGO-14PLならびにそれらの誘導体、変異体および類似体よりなる群から選ばれる、請求項10に記載の抗原構築物。
【請求項１９】  第1 HIV-1 envポリペプチド、第2 HIV-1 envポリペプチドおよび少なくとも1つの追加的HIV-1ポリペプチドの融合体を含んでなる抗原構築物。
【請求項２０】  該第1 HIV-1 envポリペプチドおよび該第2 HIV-1 envポリペプチドがそれぞれHIV-1 O群ポリペプチドである、請求項19に記載の抗原構築物。
【請求項２１】  pGO-15CKSおよびpGO-15PLならびにそれらの誘導体、変異体および類似体よりなる群から選ばれる、請求項20に記載の抗原構築物。
【請求項２２】  第2 HIV-2 envポリペプチドと融合した第1 HIV-2 envポリペプチドを含んでなる抗原構築物。
【請求項２３】  pHIV-210ならびにその誘導体、変異体および類似体である、請求項22に記載の抗原構築物。
【請求項２４】  請求項1、9、10、18、19、21、22および23のいずれか1項に記載の抗原構築物をコードするポリヌクレオチド。
【請求項２５】  試験サンプル中のHIV-1に対する抗体の検出方法であって、
（a）請求項1、9、10、18、19、21、22および23のいずれか1項に記載の少なくとも1つの抗原構築物と該試験サンプルとを一緒にして混合物を得、
（b）該抗原に対して免疫学的に反応性であり該サンプル中に存在しうる抗体と該抗原との複合体の形成に適した条件下、該混合物をインキュベートし、
（c）形成したいずれかの複合体の存在を検出する工程を含んでなる方法。
【請求項２６】  請求項1、9、10、18、19、21、22および23のいずれか1項に記載の抗原構築物を含んでなる、HIV-1に対する抗体の検出のためのイムノアッセイキット。
【手続補正書】
【提出日】平成18年3月30日(2006.3.30)
【手続補正１】
【補正対象書類名】明細書
【補正対象項目名】発明の名称
【補正方法】変更
【補正の内容】
【発明の名称】外科手術で移植可能な膝の補綴および補綴を選択する方法
【手続補正２】
【補正対象書類名】明細書
【補正対象項目名】特許請求の範囲
【補正方法】変更
【補正の内容】
【特許請求の範囲】
【請求項１】  大腿顆と、それに関連した膝の区画の脛骨高平部との間に移植を実施するのに好適な一区画の膝の補綴であって、平面が実質的に楕円形状である硬い本体と、前記本体の中央部よりも厚さが厚い前記本体の周辺部とを備え、前記本体は、前記膝の区画に前記本体の位置を固定する取り付けのための物理的手段が全くないように構成されることを特徴とする補綴。
【請求項２】  前記本体は、凹状の大腿骨上面と、凸状脛骨底面とを有することを特徴とする、請求項１に記載の補綴。
【請求項３】  前記補綴の荷重支持部分は、Ｄスケールでのショア硬度が６０よりも高い硬度を有する高弾性材料で構成されることを特徴とする、請求項１に記載の補綴。
【請求項４】  前記本体は、低弾性材料で形成された部分を有しており、前記低弾性材料で形成された部分は、前記中央部、又は、荷重を支持しない部分の少なくとも一方を含むことを特徴とする、請求項１に記載の補綴。
【請求項５】  大腿顆と、それに対応する脛骨高平部との間の膝関節の一区画の半月板空洞へ関節鏡支援による移植を実施するのに好適な半月板の荷重分配補綴であって、前記補綴は、Ｄスケールでのショア硬度が６０よりも高い硬度を有する高弾性材料を含んでおり、前記補綴は、平面が実質的に楕円形状であり、かつ、凹状の大腿骨半月板面と、凸状脛骨半月板面とを有しており、かつ、横方向外側部分、横方向内側部分、前部分、後部分により定められた周辺部を有しており、前記周辺部は、半月板装置の中央部よりも平均して厚さが厚くなっており、閉曲路角が、脛骨高平部の閉曲路角に対して、前記大腿顆の閉曲路角とほぼ同一となるような輪郭を前記大腿骨半月板面が有しており、閉曲路角が脛骨高平部の閉曲路角と実質的に同一となるような輪郭を前記脛骨半月板面が有することを特徴とする補綴。
【請求項６】  前記補綴の平面に垂直な平面における前記補綴の断面は、負メニスカス形状であることを特徴とする、請求項１又は５に記載の補綴。
【請求項７】  前記補綴は、平面が腎臓の形状であることを特徴とする、請求項１又は５に記載の補綴。
【請求項８】  横方向の内側・外側方向における前記補綴の断面は、横方向内側の周辺部の厚さが、横方向外側の周辺部の厚さよりも実質的に厚いことを特徴とする、請求項１又は５に記載の補綴。
【請求項９】  前記補綴は、横方向外側部分、横方向内側部分、前方部分における厚さに等しいか、または、その厚さよりも大きい厚さを後方部分に沿って有することを特徴とする、請求項１又は５に記載の補綴。
【請求項１０】  前記補綴は、熱セットポリマー、熱可塑性ポリマー、金属、セラミック、または、それらの合成物質からなるグループから選択された、１以上の繊維性補強の生体適合性材料、および、非繊維性補強の生体適合性材料で構成されることを特徴とする、請求項１又は５に記載の補綴。
【請求項１１】  前記補綴は活性材で被膜され、活性材が一部として含有され、或いは、活性材が内部に包含されることを特徴とする、請求項１又は５に記載の補綴。
【請求項１２】  前記大腿骨面の表面面積は、前記脛骨面の表面面積よりも小さく構成され、その結果として、前記大腿骨面から前記脛骨面までの前記補綴の端縁は、末広がり部を生じることを特徴とする、請求項１又は５に記載の補綴。
【請求項１３】  前記補綴は、前方の横方向外側部分の尖点、および／または、後方の横方向外側部分の尖点において、１つ以上の逆彎曲領域を有することを特徴とする、請求項１又は５に記載の補綴。
【請求項１４】  前記補綴は、前記補綴が組織の損傷部または変性部を架橋するような表面輪郭を有することを特徴とする、請求項１又は５に記載の補綴。
【請求項１５】  前記補綴は、半径が変化する表面を有することを特徴とする、請求項１又は５に記載の補綴。
【請求項１６】  前記補綴は、実質的に一定の半径の表面を有することを特徴とする、請求項１又は５に記載の補綴。
【請求項１７】  前記補綴は、骨、軟骨、靭帯、または、他の組織に装着される繋留装置を欠いており、従って、前記補綴は、区画の空洞内で並進、回転、或いは、並進と回転の両方を行うことが可能であり、大腿骨半月板面と脛骨半月板面は、前記補綴が前記区画の大腿顆と脛骨高平部との間でセルフセンタリングするような輪郭になっていることを特徴とする、請求項５に記載の補綴。
【請求項１８】  前記脛骨の閉曲路角と比較したときに、前記大腿骨の半月板面の閉曲路角は、前記脛骨高平部の閉曲路角と約３５度までの差があることを特徴とする、請求項５に記載の補綴。
【請求項１９】  前記補綴の前記大腿骨半月板面の閉曲路角は、前記補綴の座標系原点ＣＳＯに対して、約＋５．０８ｍｍ（＋0.20インチ）から約−５．０８ｍｍ（−0.20インチ）までだけ、前記大腿顆の閉曲路角からオフセットされており、前記補綴の前記脛骨半月板面の閉曲路角は、前記補綴の座標系原点ＣＳＯに対して、約＋１０．１６ｍｍ（＋0.40インチ）から約−５．０８ｍｍ（−0.20インチ）までだけ、前記脛骨高平部の閉曲路角からオフセットされていることを特徴とする、請求項５に記載の補綴。
【請求項２０】  二区画移植に好適な二区画の半月板装置であって、請求項１又は５に記載の横方向内側の半月板装置と、請求項１又は５に記載の横方向外側の半月板装置とを備え、前記横方向内側の半月板装置と前記横方向外側の半月板装置は、機械的であって堅固でない態様で互いに連結されることを特徴とする半月板装置。
【請求項２１】  外科的な膝の再構築が必要な患者の外科的な膝の再構築のために補綴を選択する方法であって、
（ａ）請求項１又は５に記載の一区画の膝の補綴の適当な寸法および形状を測定する段階と、
（ｂ）前記適当な寸法および形状の一区画の膝の補綴を選択する段階と、
含むことを特徴とする方法。
【請求項２２】  前記補綴の適当な寸法および形状を測定する段階は、１以上のＸ線画像化およびＭＲＩ画像化を使用して患者を検査することを含むことを特徴とする、請求項２１に記載の方法。
【請求項２３】  前記補綴を選択する段階は、標準的な形状および寸法の膝の補綴のライブラリーから選択することを含むことを特徴とする、請求項２１に記載の方法。
【請求項２４】  前記補綴を選択する段階は、別注の補綴を成形することを含むことを特徴とする、請求項２１に記載の方法。
【請求項２５】  大腿顆と、それに関連した脛骨高平部との間で膝関節の中に移植を実施するのに好適な一区画の補綴を準備する方法であって、
（ａ）非観血的な画像化技術によって、前記大腿顆の幾何学的形状を測定する段階と、
（ｂ）前記大腿顆に関連した脛骨高平部の幾何学的形状を測定する段階と、
（ｃ）前記大腿顆および脛骨高平部の幾何学的形状によって、上面及び底面に形成された区画の内部に嵌るように寸法を決められた補綴を成形する段階と、
含むことを特徴とする方法。
【手続補正書】
【提出日】平成18年8月21日(2006.8.21)
【手続補正１】
【補正対象書類名】明細書
【補正対象項目名】請求項１
【補正方法】変更
【補正の内容】
【請求項１】  電子コミュテーション式モータであって、
相互作用するロータ（１６）及びステータ（１２，１４）；
前記ステータ（１２，１４）に供給されるモータ電流（Ｉ、Ｉ１２、Ｉ１４）を制御する半導体制御素子（３２，４０）；
所定の閾値（ｉt）を超える前記モータ電流（Ｉ、Ｉ１２、Ｉ１４）の値を検出し、該所定の閾値（ｉt）を超えると第１信号を形成する第１装置（３６，８０，９０）；
所定の回転数を超えるモータの回転数値を検出し、該所定の回転数を超えると第２信号を形成する第２装置（５８〜７６）；及び
実質的に時間遅延なしに前記半導体制御素子（３２，４０）に作用して前記モータ電流をゼロよりも大きな値に低減する結合信号を形成するために前記第１及び第２信号を結合する第３装置（７６，７２，８０）
を含むことを特徴とするモータ。
【手続補正２】
【補正対象書類名】明細書
【補正対象項目名】０００４
【補正方法】変更
【補正の内容】
【０００４】
【課題の解決手段】
本発明によればこの課題は、請求項１記載のモータによって解決される。即ち、上記の課題は、本発明の一視点により、相互作用するロータ及びステータ；前記ステータに供給されるモータ電流を制御する半導体制御素子；所定の閾値を超える前記モータ電流の値を検出し、該所定の閾値を超えると第１信号を形成する第１装置；所定の回転数を超えるモータの回転数値を検出し、該所定の回転数を超えると第２信号を形成する第２装置；及び実質的に時間遅延なしに前記半導体制御素子に作用して前記モータ電流をゼロよりも大きな値に低減する結合信号を形成するために前記第１及び第２信号を結合する第３装置を含むことを特徴とする電子コミュテーション式モータによって解決される（形態１・基本構成）。このようなモータにより、一方では高速の起動が可能であり、他方ではその動作回転数において静粛な回転が達成される。なぜなら効果的な電流制限によって電流ピークを効果的に抑圧することができるからであり、このことはこのようなモータのノイズレベルを非常に効果的に低減する。
【手続補正３】
【補正対象書類名】明細書
【補正対象項目名】０００５
【補正方法】変更
【補正の内容】
【０００５】
【発明の実施の形態】
本発明のさらなる詳細および有利な展開形態は以下の説明および図面に示された、本発明の制限として理解すべきではない実施例、並びに従属請求項から明らかとなる。即ち、本発明の好ましい実施の形態は、以下に示すとおりである：
（形態１）  上掲。
（形態２）  上記形態１のモータにおいて、モータ（ないしステータ）の少なくとも１つの相巻線への電流はトランジスタを介して制御可能であり、前記結合信号は、これが発生するとき前記トランジスタのベース電流を低下させるために用いることが好ましい。
（形態３）  上記形態２のモータにおいて、前記トランジスタにはミラーコンデンサが配属されており、これによりコミュテーション時における当該トランジスタにおいての電流変化の速度が低減されることが好ましい。
図１に、本発明のモータの有利な実施例の回路図を示す。
図２に、図１のモータ（動作）を説明するための概略図を示す。
【手続補正書】
【提出日】平成17年11月28日(2005.11.28)
【手続補正１】
【補正対象書類名】明細書
【補正対象項目名】特許請求の範囲
【補正方法】変更
【補正の内容】
【特許請求の範囲】
【請求項１】  回転機械（３００，３１４）の軸電圧を検出する少なくとも１つの電圧センサと、
前記軸電圧の変化率を明らかにする変化検出器（３０６，３０８；５０４，５０６）と、
リアルタイムの前記軸電圧値を時間に対して圧縮するデータ集約のためのサンプリング装置と、
前記軸電圧の変化率の関数として警報を発する評価システム（３２４；５２４）と、を含み、
その警報は、回転機械で進行中の問題の表示である、回転機械用モニタ。
【請求項２】  回転機械（３００，３１４）の軸接地電流を検出する少なくとも１つの電流センサと、
軸接地電流の変化率を明らかにする変化検出器と、
前記軸接地電流の変化と、平均軸接地電流と、当該平均軸接地電流に対する前記軸接地電流の最大値の比率との関数として警報を発する評価システム（３２４；５２４）と、を含み、
その警報は、回転機械で進行中の問題の表示である、回転機械用モニタ。
【請求項３】  前記変化検出器は、前記軸電圧の１次導関数を決定する、請求項１に記載のモニタ。
【請求項４】  変化検出器は、軸接地電流の１次導関数を決定する、請求項２に記載のモニタ。
【請求項５】  その警報は、さらに波形周波数の関数である、請求項１〜４のいずれか一つに記載のモニタ。
【請求項６】  その警報は、さらに回転子周波数の関数である、請求項１〜５のいずれか一つに記載のモニタ。
【手続補正２】
【補正対象書類名】明細書
【補正対象項目名】０００４
【補正方法】変更
【補正の内容】
【０００４】
発明の要約
本発明の一の態様は、回転機械について問題が進行中であること示す警告を発する回転機械モニタである。回転機械モニタは、回転機械の軸電圧を検出する少なくとも一つの電圧センサと、軸電圧における変化率を明らかにする変化検出器と、リアルタイムの軸電圧値を時間に対して圧縮するデータ集約のためのサンプリング装置と、軸電圧の変化率の関数として警告を発するための評価システムと、を有する。
本発明の他の態様は、回転機械について問題が進行中であること示す警告を発する回転機械モニタである。回転機械モニタは、回転機械の軸接地電流を検出する少なくとも一つの電流センサと、軸接地電流における変化率を明らかにする変化検出器と、前記軸接地電流の変化と、平均軸接地電流と、当該平均軸接地電流に対する前記軸接地電流の最大値の比率との関数として警告を発するための評価システムと、を有する。
【手続補正書】
【提出日】平成18年6月30日(2006.6.30)
【手続補正１】
【補正対象書類名】明細書
【補正対象項目名】特許請求の範囲
【補正方法】変更
【補正の内容】
【特許請求の範囲】
【請求項１】  フッ化ビニリデン２３〜６５重量％、パーフルオロ（アルキルビニル）エーテル２５〜７５重量％、テトラフルオロエチレン０〜３０重量％、２−ヒドロペンタフルオロプロペン０．３〜５重量％の共重合単位から本質的になることを特徴とするフルオロエラストマー。
【請求項２】  Ａ．フッ化ビニリデン２３〜６５重量％、パーフルオロ（アルキルビニル）エーテル２５〜７５重量％、テトラフルオロエチレン０〜３０重量％、２−ヒドロペンタフルオロプロペン０．３〜５重量％およびフルオロエラストマー鎖末端に化学結合したヨウ素０〜１重量％の共重合単位から本質的になるフルオロエラストマーと、
Ｂ．ポリヒドロキシ架橋剤と、
Ｃ．加硫促進剤と、
Ｄ．金属酸化物または金属水酸化物と
を含むことを特徴とする硬化性組成物。
【請求項３】  Ａ．フッ化ビニリデン２３〜６５重量％、パーフルオロ（アルキルビニル）エーテル２５〜７５重量％、テトラフルオロエチレン０〜３０重量％、２−ヒドロペンタフルオロプロペン０．３〜５重量％の共重合単位およびフルオロエラストマー鎖末端に化学結合するヨウ素０〜１重量％から本質的になるフルオロエラストマーと、
Ｂ．ジアミンまたはカルバミン酸ジアミン硬化剤と
を含むことを特徴とする硬化性組成物。
【請求項４】  Ａ）フッ化ビニリデン２３〜６５重量％、パーフルオロ（アルキルビニル）エーテル２５〜７５重量％、テトラフルオロエチレン０〜３０重量％、２−ヒドロペンタフルオロプロペン０．３〜５重量％の共重合単位およびフルオロエラストマー鎖末端に化学結合するヨウ素０〜１重量％から本質的になるフルオロエラストマーと、
Ｂ）ｉ）ビスフェノール（Ｂ）の第四級アンモニウム塩、ｉｉ）ビスフェノール（Ｂ）の第四級ホスホニウム塩、およびｉｉｉ）ビスフェノールの第三級スルホニウム塩からなる群から選択される化合物と、
Ｃ）金属酸化物または金属水酸化物と
から本質的になることを特徴とする硬化性組成物。
【手続補正２】
【補正対象書類名】明細書
【補正対象項目名】００５４
【補正方法】変更
【補正の内容】
【００５４】
本発明は、ある特定の実施形態によって説明されており、別段の指定がない限り、部およびパーセンテージはすべて重量によるものである。
以下に、本発明の好ましい態様を示す。
［１］  フッ化ビニリデン２３〜６５重量％、パーフルオロ（アルキルビニル）エーテル２５〜７５重量％、テトラフルオロエチレン０〜３０重量％、２−ヒドロペンタフルオロプロペン０．３〜５重量％の共重合単位から本質的になることを特徴とするフルオロエラストマー。
［２］  フルオロエラストマー鎖末端に化学結合したヨウ素を約１重量％まで有することを特徴とする［１］に記載のフルオロエラストマー。
［３］  Ａ．フッ化ビニリデン２３〜６５重量％、パーフルオロ（アルキルビニル）エーテル２５〜７５重量％、テトラフルオロエチレン０〜３０重量％、２−ヒドロペンタフルオロプロペン０．３〜５重量％およびフルオロエラストマー鎖末端に化学結合したヨウ素０〜１重量％の共重合単位から本質的になるフルオロエラストマーと、
Ｂ．ポリヒドロキシ架橋剤と、
Ｃ．加硫促進剤と、
Ｄ．金属酸化物または金属水酸化物と
を含むことを特徴とする硬化性組成物。
［４］  さらに、ゼオライトを含むことを特徴とする［３］に記載の組成物。
［５］  前記ポリヒドロキシ架橋剤Ｂが、ｉ）ジヒドロキシ−、トリヒドロキシ−、およびテトラヒドロキシ−ベンゼン、−ナフタレン、および−アントラセン、ｉｉ）下記式で示され、
【化１】
2003525308.tif 000001
式中、Ａは安定な二価の基であり、ｘは０または１であり、ｎは１または２であるビスフェノール、ｉｉｉ）前記ビスフェノールのジアルカリ塩、ｉｖ）前記ビスフェノールの第四級アンモニウムおよびホスホニウム塩、ｖ）前記ビスフェノールの第三級スルホニウム塩、ｖｉ）フェノールのエステルからなる群から選択される架橋剤であることを特徴とする［３］に記載の組成物。
［６］  さらに有機スズ水素化物を含むことを特徴とする［３］に記載の組成物。
［７］  前記有機スズ水素化物が、水素化トリ−ｎ−ブチルスズであることを特徴とする［６］に記載の組成物。
［８］  さらに、変性シラン被覆無機充填剤を含むことを特徴とする［３］に記載の組成物。
［９］  前記変性シラン被覆無機充填剤が、エポキシシラン被覆ケイ灰石であることを特徴とする［８］に記載の組成物。
［１０］  前記変性シラン被覆無機充填剤が、アミノシラン被覆ケイ灰石であることを特徴とする［８］に記載の組成物。
［１１］  さらに、分子ふるいを含むことを特徴とする［３］に記載の組成物。
［１２］  前記加硫促進剤Ｃが、第四級アンモニウム塩、第三級スルホニウム塩、および第四級ホスホニウム塩からなる群から選択されることを特徴とする［３］に記載の硬化性組成物。
［１３］  前記加硫促進剤Ｃが、ｉ）ポリヒドロキシ架橋剤（Ｂ）の第四級アンモニウム塩、ｉｉ）ポリヒドロキシ架橋剤（Ｂ）の第四級ホスホニウム塩、およびｉｉｉ）ポリヒドロキシ架橋剤の第三級スルホニウム塩からなる群から選択されることを特徴とする［１２］に記載の硬化性組成物。
［１４］  Ａ．フッ化ビニリデン２３〜６５重量％、パーフルオロ（アルキルビニル）エーテル２５〜７５重量％、テトラフルオロエチレン０〜３０重量％、２−ヒドロペンタフルオロプロペン０．３〜５重量％の共重合単位およびフルオロエラストマー鎖末端に化学結合するヨウ素０〜１重量％から本質的になるフルオロエラストマーと、
Ｂ．ジアミンまたはカルバミン酸ジアミン硬化剤と
を含むことを特徴とする硬化性組成物。
［１５］  Ａ）フッ化ビニリデン２３〜６５重量％、パーフルオロ（アルキルビニル）エーテル２５〜７５重量％、テトラフルオロエチレン０〜３０重量％、２−ヒドロペンタフルオロプロペン０．３〜５重量％の共重合単位およびフルオロエラストマー鎖末端に化学結合するヨウ素０〜１重量％から本質的になるフルオロエラストマーと、
Ｂ）ｉ）ビスフェノール（Ｂ）の第四級アンモニウム塩、ｉｉ）ビスフェノール（Ｂ）の第四級ホスホニウム塩、およびｉｉｉ）ビスフェノールの第三級スルホニウム塩からなる群から選択される化合物と、
Ｃ）金属酸化物または金属水酸化物と
から本質的になることを特徴とする硬化性組成物。
［１６］  フルオロエラストマー１００部に対してカーボンブラック５〜６０部の充填剤含有量を有することを特徴とする［１５］に記載の組成物。
【手続補正書】
【提出日】平成18年10月2日(2006.10.2)
【手続補正１】
【補正対象書類名】明細書
【補正対象項目名】特許請求の範囲
【補正方法】変更
【補正の内容】
【特許請求の範囲】
【請求項１】  コポリカーボネートの製造方法であって、
（Ｉ）前駆体ポリカーボネート（Ａ）を、成分Ａに存在するもの以外の構造単位でコポリカーボネート中に組込むべき構造単位のモノマー又はポリマー原料（Ｂ）と接触させる段階であって、当該接触を、成分Ａと成分Ｂの反応を促進する条件下で行って、成分Ｂの構造単位が組込まれた前駆体コポリカーボネートを形成する段階、
（II）段階Ｉの前又は後に、成分Ａ、成分Ｂ又は前駆体コポリカーボネートを結晶化度の向上したポリカーボネートへと変換する段階、及び
（III）段階IIの後、段階Ｉと同時又は段階Ｉの後に、結晶化度の向上したコポリカーボネートを固相重合に付す段階
を含んでなる方法。
【請求項２】  成分Ｂがモノマー原料である、請求項１記載の方法。
【請求項３】  成分Ｂがジヒドロキシ芳香族化合物である、請求項２記載の方法。
【請求項４】  成分Ｂが６，６′−ジヒドロキシ−３，３，３′，３′−テトラメチル−１，１′−スピロ（ビス）インダンである、請求項３記載の方法。
【請求項５】  成分Ｂがポリオキシアルキレングリコールである、請求項２記載の方法。
【請求項６】  成分Ｂが１５０〜５００００の数平均分子量を有するポリエチレングリコールである、請求項５記載の方法。
【請求項７】  成分Ｂが２５℃のクロロホルム中で測定して０．０６〜０．３０ｄｌ／ｇの固有粘度を有するオリゴマー状ホモポリカーボネート又はコポリカーボネートである、請求項１記載の方法。
【請求項８】  成分Ｂが高分子量ホモポリカーボネート又はコポリカーボネートである、請求項１記載の方法。
【請求項９】  成分Ａが２５℃のクロロホルム中で測定して０．０６〜０．３０ｄｌ／ｇの固有粘度を有するオリゴマー状ポリカーボネートであって、当該オリゴマー状ポリカーボネートがジヒドロキシ芳香族化合物及びポリオキシアルキレングリコールの１種類以上から誘導された構造単位を含む、請求項１記載の方法。
【請求項１０】  成分ＡがビスフェノールＡポリカーボネートである、請求項９記載の方法。
【請求項１１】  成分Ａがジヒドロキシ芳香族化合物及びポリオキシアルキレングリコールの１種類以上から誘導された構造単位を含む高分子量ホモポリカーボネート又はコポリカーボネートである、請求項１記載の方法。
【請求項１２】  成分ＡがビスフェノールＡポリカーボネートである、請求項１１記載の方法。
【請求項１３】  段階Ｉの条件が１７０〜２５０℃の温度を含む、請求項１記載の方法。
【請求項１４】  段階Ｉで触媒を使用する、請求項１３記載の方法。
【請求項１５】  前記触媒が塩基又はルイス酸である、請求項１４記載の方法。
【請求項１６】  段階Ｉの条件が溶融重合条件である、請求項１３記載の方法。
【請求項１７】  段階Ｉの条件が平衡化条件である、請求項１３記載の方法。
【請求項１８】  段階Ｉの間成分Ｂを漸増的に導入する、請求項１３記載の方法。
【請求項１９】  ジアリールカーボネートを成分Ｂと共に導入する、請求項１３記載の方法。
【請求項２０】  段階Ｉの前に段階IIを行い、段階IIで成分Ａ又は成分Ｂを結晶化度の向上したポリカーボネートへと変換する、請求項１３記載の方法。
【請求項２１】  段階Ｉの後に段階IIを行い、段階IIで前駆体コポリカーボネートを結晶化度の向上したポリカーボネートへと変換する、請求項１３記載の方法。
【請求項２２】  段階IIを段階Ｉと同時に行う、請求項１３記載の方法。
【請求項２３】  段階IIIを段階Ｉに続いて行う、請求項１３記載の方法。
【請求項２４】  段階IIIで触媒を使用する、請求項１３記載の方法。
【請求項２５】  段階IIIの触媒が段階Ｉで使用した触媒と同じである、請求項２４記載の方法。
【手続補正書】
【提出日】平成17年11月22日(2005.11.22)
【手続補正１】
【補正対象書類名】明細書
【補正対象項目名】特許請求の範囲
【補正方法】変更
【補正の内容】
【特許請求の範囲】
【請求項１】  実質的にゼラチンを含まない重合フィルムであって、この重合フィルムは少なくともその一つの表面にコーティング層を有する重合フィルム基板を含み、このコーティング層は少なくとも１以上の繰り返し単位を持つポリマーを含み、この繰り返し単位は少なくとも１以上のペンダント基−ＰＯＸＹを含み、このＸおよびＹは、同じかまたは異なっていてもよく、ＯＨまたはＯＭであり、Ｍはカチオンである、ことを特徴とする重合フィルム。
【請求項２】  前記コーティング層のポリマーが、１以上のアクリルコモノマーを有するコポリマーを含むことを特徴とする請求項１に記載のフィルム。
【請求項３】  前記コーティング層のポリマーが、ペンダントカルボキシ基若しくは加水分解でカルボキシ基を形成することができる基を含んでいる繰り返し単位をさらに含むことを特徴とする請求項１に記載のフィルム。
【請求項４】  前記コーティング層のポリマーが、スルホン化モノマーまたはその塩若しくは他の誘導体であるコモノマーをさらに含むことを特徴とする請求項１に記載のフィルム。
【請求項５】  前記コーティング層のポリマーが、アクリル酸、ビニルホスホン酸およびビニルホスホン酸ナトリウムのコポリマーを含むことを特徴とする請求項１に記載のフィルム。
【請求項６】  前記コーティング層が、さらに延伸（ｄｒａｗｉｎｇ）剤を含むことを特徴とする請求項１に記載のフィルム。
【請求項７】  前記コーティング層のポリマーが、さらに充填材を含むことを特徴とする請求項１に記載のフィルム。
【請求項８】  前記コーティング層のポリマーが、さらに架橋剤を含むことを特徴とする請求項１に記載のフィルム。
【請求項９】  少なくとも一方の表面にコーティング層を有する重合フィルム基板を含む印刷版であって、ここで、コーティング層が、少なくとも１以上のペンダント（−ＰＯＸＹ）基を有する少なくとも１以上の繰り返し単位を持つポリマーを含み、ここで、同一若しくは異なるものであるＸおよびＹがＯＨ若しくはＯＭであり、Ｍがカチオンであることを特徴とする印刷版。
【手続補正２】
【補正対象書類名】明細書
【補正対象項目名】００６４
【補正方法】変更
【補正の内容】
【００６４】
重合フィルムは、意図される用途にしたがってその厚さを変更しても良いが、フィルムはその全体の厚さが５から３５０μｍの範囲にあることが好ましく、より好ましくは２５から２５０μｍ、特に１２５から２００μｍである。
以下に、本発明の好ましい態様を示す。
１．  実質的にゼラチンを含まない重合フィルムであって、この重合フィルムは少なくともその一つの表面にコーティング層を有する重合フィルム基板を含み、このコーティング層は少なくとも１以上の繰り返し単位を持つポリマーを含み、この繰り返し単位は少なくとも１以上のペンダント基−ＰＯＸＹを含み、このＸおよびＹは、同じかまたは異なっていてもよく、ＯＨまたはＯＭであり、Ｍはカチオンである、ことを特徴とする重合フィルム。
２．  前記コーティング層のポリマーが、ペンダントホスホン酸基および／またはその塩またはその誘導体を有する繰り返し単位を含むことを特徴とする１．に記載のフィルム。
３．  前記コーティング層のポリマーが、１以上のアクリルコモノマーを有するコポリマーを含むことを特徴とする１．または２．に記載のフィルム。
４．  前記コーティング層のポリマーが、ペンダントカルボキシ基若しくは加水分解でカルボキシ基を形成することができる基を含んでいる繰り返し単位をさらに含むことを特徴とする前記いずれかの項に記載のフィルム。
５．  前記コーティング層のポリマーが、アクリル酸およびビニルホスホン酸のコポリマーを含むことを特徴とする４．に記載のフィルム。
６．  前記コーティング層のポリマーが、スルホン化モノマーまたはその塩若しくは他の誘導体であるコモノマーをさらに含むことを特徴とする前記いずれかの項に記載のフィルム。
７．  前記コーティング層のポリマーが、アクリル酸、ビニルホスホン酸およびビニルホスホン酸ナトリウムのコポリマーを含むことを特徴とする前記いずれかの項に記載のフィルム。
８．  前記コーティング層が、さらに延伸（ｄｒａｗｉｎｇ）剤を含むことを特徴とする前記いずれか１つの項に記載のフィルム。
９．  延伸剤がアルキルアリールフタレートを含むことを特徴とする８．に記載のフィルム
１０．  前記コーティング層のポリマーが、さらに充填材を含むことを特徴とする前記いずれか１つの項に記載のフィルム。
１１．  前記コーティング層のポリマーが、さらに架橋剤を含むことを特徴とする前記いずれか１つの項に記載のフィルム。
１２．  重合フィルムを製造する方法であって、重合フィルム基板を形成する工程、基板の少なくとも一方の表面にコーティング組成物を塗布する工程を含み、このコーティング組成物が少なくとも１以上のペンダント（−ＰＯＸＹ）基を有する少なくとも１以上の繰り返し単位を有するポリマーを含み、ここで、同一若しくは異なるものであるＸおよびＹがＯＨ若しくはＯＭであり、Ｍがカチオンであることを特徴とする方法。
１３．  フィルム基板の分子配向を達成するために用いられるあらゆる延伸作業の前またはその間に、コーティング組成物を基板に塗布することを特徴とする１２．に記載の方法。
１４．  少なくとも一方の表面にコーティング層を有する重合フィルム基板を含む印刷版であって、ここで、コーティング層が、少なくとも１以上のペンダント（−ＰＯＸＹ）基を有する少なくとも１以上の繰り返し単位を持つポリマーを含み、ここで、同一若しくは異なるものであるＸおよびＹがＯＨ若しくはＯＭであり、Ｍがカチオンであることを特徴とする印刷版。
【手続補正書】
【提出日】平成18年1月20日(2006.1.20)
【手続補正１】
【補正対象書類名】明細書
【補正対象項目名】特許請求の範囲
【補正方法】変更
【補正の内容】
【特許請求の範囲】
【請求項１】  組換えアデノウイルスベクターを含む組成物であって、該組換えアデノウイルスベクターが、Ｅ３領域に、Ｅ３領域の部分的または全体的な欠失を容易にするか、あるいはそのＥ３領域に含まれる遺伝子を選択する制限部位を有する、組成物。
【請求項２】  前記組換えアデノウイルスベクターが、Ｅ３領域の初期領域の遺伝子に、６．７Ｋおよびｇｐ１９Ｋタンパク質をコードする制限部位を含む、請求項１に記載の組成物。
【請求項３】  前記組換えアデノウイルスベクターが、Ｅ３領域の初期領域の遺伝子に、１０．４Ｋ、１４．５Ｋ、１４．７Ｋおよび１１．６Ｋタンパク質をコードする制限部位を含む、請求項１に記載の組成物。
【請求項４】  組換えアデノウイルスを含む組成物であって、該アデノウイルスが、Ｅ３領域に、Ｅ３領域の部分的または全体的な欠失を容易にするか、あるいはそのＥ３領域に含まれる遺伝子を選択する制限部位を有する、組成物。
【請求項５】  組換えアデノウイルスを含む組成物であって、該アデノウイルスが、Ｅ３領域に、Ｅ３領域の部分的または全体的な欠失を容易にするか、あるいは６．７Ｋおよびｇｐ１９Ｋタンパク質をコードする、そのＥ３領域に含まれる遺伝子を選択する制限部位を有する、組成物。
【請求項６】  組換えアデノウイルスを含む組成物あって、該アデノウイルスが、Ｅ３領域に、Ｅ３領域の部分的または全体的な欠失を容易にするか、あるいは１０．４Ｋ、１４．５Ｋ、１４．７Ｋおよび１１．６Ｋタンパク質をコードする、そのＥ３領域に含まれる遺伝子を選択する制限部位を有する、組成物。
【請求項７】  ｐＧＥ３ＳＶ、ｐＧＥ３ＳＶ＋Ｖ、ｐＧＥ３ＳＶ＋Ｂ、およびｐＧＥ３ＳＶ＋Ｖ＋Ｂから成る群から選択されるアデノウイルスベクターを含む組成物。
【請求項８】  Ｅ３ＳＶ、Ｅ３ＳＶ＋Ｖ、Ｅ３ＳＶ＋Ｂ、およびＥ３ＳＶ＋Ｖ＋Ｂから成る群から選択されるアデノウイルスを含む組成物。
【請求項９】  前記部分的または全体的に欠失したＥ３領域が、異種タンパク質をコードする遺伝子で置換され、そして該遺伝子が、必要に応じて組織特異的なプロモーターと作用可能に連結している、請求項１に記載の組成物。
【請求項１０】  前記アデノウイルスベクターのＥ１ＡまたはＥ１ｂ領域において欠失を更に含む請求項１に記載の組成物であって、そして該Ｅ１ｂ領域が５５Ｋのタンパク質をコードしている、組成物。
【請求項１１】  前記Ｅ１ｂまたは前記Ｅ１Ａ領域の欠失が、異種タンパク質をコードする遺伝子で置換されている、請求項１０に記載の組成物。
【請求項１２】  前記異種タンパク質が腫瘍壊死因子α、インターフェロンγ、インターロイキン、細胞自殺タンパク質、およびｍｉｐ−３から成る群から選択される、請求項９または１１に記載の組成物。
【請求項１３】  前記異種タンパク質が負の選択遺伝子である、請求項９に記載の組成物。
【請求項１４】  前記の負の選択遺伝子が、シトシンデアミナーゼ、およびチミジンキナーゼから成る群から選択される、請求項１３に記載の組成物。
【請求項１５】  請求項７に記載のアデノウイルスベクターを含む細胞。
【請求項１６】  請求項８に記載のアデノウイルスを含む細胞。
【請求項１７】  処置が必要な哺乳類のガンを処置するための薬学的組成物であって、該組成物は、請求項９または１１に記載の組成物の治療的に有効な量を含有し、異種タンパク質が抗ガン活性を有する、薬学的組成物。
【請求項１８】  前記異種タンパク質が、腫瘍壊死因子α、インターフェロンγ、インターロイキン、細胞自殺タンパク質、およびｍｉｐ−３から成る群から選択される、請求項１７に記載の薬学的組成物。
【請求項１９】  化学療法的または免疫抑制的に投与されるために処方される、請求項１８に記載の薬学的組成物。
【請求項２０】  組換えアデノウイルスベクターを含む組成物であって、該組換えアデノウイルスベクターが、該ベクターのＥ３領域に、Ｅ３領域に含まれる選択遺伝子の欠失を容易にする制限部位を有し、そして置換されて、それにより、欠失した遺伝子と類似の発現パターンを示す異種遺伝子となる、組成物。
【手続補正書】
【提出日】平成17年7月12日(2005.7.12)
【手続補正１】
【補正対象書類名】明細書
【補正対象項目名】特許請求の範囲
【補正方法】変更
【補正の内容】
【特許請求の範囲】
【請求項１】  3(R)-(2-ヒドロキシ-2,2-ジチエン-2-イルアセトキシ)-1-(3-フェノキシプロピル)-1-アゾニアビシクロ[2.2.2]オクタン・Ｘおよび1-フェネチル-3(R)-(9[H]-キサンテン-9-カルボニルオキシ)-1-アゾニアビシクロ[2.2.2]オクタン・Ｘ(ここで、Ｘは医薬的に許容され得る一または多価の酸のアニオンを表す)の１つである、四級アンモニウム化合物。
【請求項２】  Ｘが塩化物、臭化物、ヨウ化物、硫酸塩、硝酸塩、リン酸塩、酢酸塩、トリフルオロ酢酸塩、マレイン酸塩、フマル酸塩、クエン酸塩、蓚酸塩、コハク酸塩、酒石酸塩、リンゴ酸塩、マンデル酸塩、メタンスルホン酸塩またはp-トルエンスルホン酸塩のアニオンである、請求項１に記載の化合物。
【請求項３】  Ｘが塩化物、臭化物またはトリフルオロ酢酸塩のアニオンである、請求項１または２に記載の化合物。
【請求項４】  3(R)-(2-ヒドロキシ-2,2-ジチエン-2-イルアセトキシ)-1-(3-フェノキシプロピル)-1-アゾニアビシクロ[2.2.2]オクタン・臭化物である、請求項１ないし３のいずれか１項に記載の化合物。
【請求項５】  1-フェネチル-3(R)-(9[H]-キサンテン-9-カルボニルオキシ)-1-アゾニアビシクロ[2.2.2]オクタン・臭化物である、請求項１ないし３のいずれか１項に記載の化合物。
【請求項６】  活性成分として請求項１ないし５のいずれか１項に記載の化合物を含む、ムスカリンＭ3レセプターが関与する疾患処置用医薬組成物。
【請求項７】  疾患が呼吸器系、泌尿器系および消化器系疾患である、請求項６に記載の医薬組成物。
【請求項８】  疾患が呼吸器系疾患である、請求項７に記載の医薬組成物。
【請求項９】  呼吸器系疾患が慢性閉塞性肺疾患（COPD）、慢性気管支炎、気管支の過剰反応、喘息および鼻炎である、請求項８に記載の医薬組成物。
【請求項１０】  医薬的に許容され得るキャリアーまたは希釈剤との混合物状で、請求項１ないし５のいずれか１項に記載の化合物を含んで成る医薬組成物。
【請求項１１】  β2アゴニスト、ステロイド、抗アレルギー剤またはホスホジエステラーゼIVインヒビターと関連して使用する、請求項８ないし１０のいずれか１項に記載の医薬組成物。
【請求項１２】  β2アゴニストと関連して使用する、請求項８ないし１０のいずれか１項に記載の医薬組成物。
【請求項１３】  ステロイドと関連して使用する、請求項８ないし１０のいずれか１項に記載の医薬組成物。
【請求項１４】  抗アレルギー剤と関連して使用する、請求項８ないし１０のいずれか１項に記載の医薬組成物。
【請求項１５】  ホスホジエステラーゼIVインヒビターと関連して使用する、請求項８ないし１０のいずれか１項に記載の医薬組成物。
【請求項１６】  治療によるヒトまたは動物の身体の処置に使用するための、請求項１ないし５のいずれか１項に記載の化合物、または請求項６ないし１５のいずれか１項に記載の医薬組成物。
【請求項１７】  呼吸器系、泌尿器系および消化器系疾患の処置に使用する薬剤を製造するための、請求項１ないし５のいずれか１項に記載の化合物、または請求項６、７および１０のいずれか１項に記載の医薬組成物の使用。
【請求項１８】  呼吸器系疾患の処置に使用する薬剤を製造するための、請求項１ないし５のいずれか１項に記載の化合物、または請求項６ないし１５のいずれか１項に記載の医薬組成物の使用。
【請求項１９】  呼吸器系疾患が慢性閉塞性肺疾患（COPD）、慢性気管支炎、気管支の過剰反応、喘息および鼻炎である、請求項１８に記載の使用。